(57)【特許請求の範囲】
【請求項１】
リングファイルに綴じるルーズリーフ、クリアポケットその他のリングファイル用シート体であって、リングファイルのリングを通す上部可動穴と、上部可動穴よりもシート体の綴じ側の長辺端縁側にずれて設けられ前記リングファイルのリングを通す下部可動穴と、を有し、前記上部可動穴及び下部可動穴は、前記シート体の端辺近傍の標準規定位置に設けられたリングファイルのリングを通す標準リング穴と、当該標準リング穴に対して前記端辺に略平行方向に設けられ且つ前記リングが通る移動リング穴と、前記標準リング穴と移動リング穴とを連結する切断部とからなることを特徴とするリングファイル用シート体。
【請求項２】
前記上部可動穴及び下部可動穴は、前記標準リング穴及び移動リング穴にそれぞれ開口すると共に前記切断部に収斂する導入部を有すると共に、当該導入部の傾斜線の切断部から標準リング穴に接続する点が、標準リング穴の円の中心点から垂直下方の円との交点よりも、シート体の綴じ側端縁側又はその反対側に位置することを特徴とする請求項１に記載のリングファイル用シート体。
【発明の詳細な説明】
【技術分野】
【０００１】
本発明は、リングファイル（以下、リングファイルにはパイプ式ファイルを含むものとする）に複数綴じて閲覧等を行うルーズリーフ等のリングファイル用シート体に関するものである。
【背景技術】
【０００２】
所謂リングファイルは、パンチにより端縁近傍に所定寸法及び間隔で穴をあけた書類を留めていく文具であり、現在広く普及している。リングファイルは、綴じた書類をめくり易いため、閲覧に適したものと言える。また、リングファイルは、書類の分類、整理、持ち運び、保管等の多種の用途で用いられる。
【０００３】
現在、特許文献１に記載されているようなリングファイルのシート体が知られている。図８は、従来のリングファイルのシート体の一部を示す平面図である。図９は、図８のシート体５００をリングファイルに綴じた状態の一部分を示す説明図である。このリングファイルのシート体５００は、２穴式のルーズリーフ５００であり、その一端部には、リングファイルのリングＲ（パイプ式ファイルの場合はパイプ。以下同様。図示省略）を通す標準リング穴５１が形成される。この標準リング穴５１は、当該ルーズリーフ５００を綴じるリングファイルのリングＲの間隔と同じ間隔で形成される。
【０００４】
また、標準リング穴５１に対して前記ルーズリーフ５００の端縁に略並行する方向に、更に移動リング穴５２がもう一つ形成されている。図８の例では、リング穴５１，５２は合計４個となり、各リングＲに対して１組のリング穴５１，５２が対応することになる。更に、標準リング穴５１と移動リング穴５２の組は、直線的な溝状ないし矩形切欠き状の切断部３により連結している。また、前記切断部３は、標準リング穴５１と移動リング穴５２の接線のごとく設けられる。即ち、リング穴５１，５２の中心同士を接続する直線ではなく、この中心から一方向（ルーズリーフ５００の長辺端縁方向又はその反対方向）にずらして設けられる。
【０００５】
次に、切断部３とリング穴５１，５２との結合位置には、リング穴５１，５２から切断部３にリングＲが移動しやすくするための導入部５４が形成されている。この導入部５４は、楔形状ないし三角形であり、一辺がリング穴５１，５２に対して開口するように、先端が切断部３に一致するように形成される。換言すれば、導入部５４はリング穴５１，５２の一部から切断部３まで切り込まれて形成される。一方、リング穴５１，５２、切断部３、導入部５４により標準リング穴５１と移動リング穴５２との間にフラップ５５が形成される。
【０００６】
なお、上記リング穴５１，５２、切断部３及び導入部５４を可動穴５６と総称する。フラップ５５は、リングＲが標準リング穴５１と移動リング穴５２との間を通るとき、ルーズリーフ５００の紙面に略垂直方向に動いてリングＲの移動を可能とし、リングＲが移動し終わったら元に戻り、リングＲが一方のリング穴５１，５２から容易に移動しないようにする。これは、リングＲを一方のリング穴５１，５２に位置を固定する効果がある。
【０００７】
次に、このルーズリーフ５００の使用方法を説明する。図９（ａ）に示すように、ルーズリーフ５００を、前記標準リング穴５１を用いてリングＲに通してリングファイルに綴じる。このようなルーズリーフ５００を同様にして複数枚、当該リングファイルに綴じるようにする。この状態でリングＲは、標準リング穴５１に位置決めされる。ユーザは、通常の使用方法として、ルーズリーフ５００をめくって閲覧、記入できる。また、全てのルーズリーフ５００が、図９（ｂ）に示すように、上端が揃った状態にある。このとき、標準リング穴５１を通るリングＲは、フラップ５５によりルーズリーフ５００との相対移動が阻止されており、ユーザが力を加えない状態で移動することはない。また、導入部５４もリングＲの移動方向に一定の傾斜を有するので、この傾斜部分（フラップ５５端縁）がリングＲの移動を抑制している。
【０００８】
次に、ユーザが、リングファイルに綴じている任意のルーズリーフ５００をリングファイルの上方に引っ張ると、図９（ｃ）に示すように、標準リング穴５１から移動リング穴５２にリングＲが移動して、当該ルーズリーフ５００が標準リング穴５１と移動リング穴５２との距離分だけ移動する。これにより、当該ルーズリーフ５００は、図９（ｄ）に示すように、他のルーズリーフ５００に比べて上方に飛び出た状態となる。リングＲは、図９（ｅ）に示すように、移動する際に標準リング穴５１の導入部５４にガイドされつつ相対移動する。フラップ５５は、ユーザの引っ張る力によりリングＲにより開き、リングＲが切断部３に侵入し、通過する。そして、リングＲが移動リング穴５２に入る。この状態でユーザは引っ張るのを止める。リングＲは、フラップ５５により移動リング穴５２で固定される。
【０００９】
前記ルーズリーフ５００を上方に飛び出させた状態で、ルーズリーフ５００の横端縁（可動穴５６を設けた端縁とは反対側の端縁。図示省略）は、他のルーズリーフ５００と同じ位置にあるから、閲覧、記入の際に使用し難くなることはない。ルーズリーフ５００が上方に飛び出ることで、例えばどこまで閲覧又は記入をしたか簡単に位置を特定できる。即ち、ルーズリーフ５００自体が上方に移動して栞として機能することになる。
【００１０】
次に、当該飛び出したルーズリーフ５００をもとに戻す。ユーザが当該ルーズリーフ５００の下端を引っ張ると、リングＲが移動リング穴５２から導入部５４によりガイドされつつ相対移動し、フラップ５５を押し開け、切断部３を通過して標準リング穴５１に戻る。フラップ５５が閉じることでリングＲが標準リング穴５１に固定される。これにより、図９（ｂ）に示すように、全てのルーズリーフ５００の上端が揃った状態となる。
【先行技術文献】
【特許文献】
【００１１】
【特許文献１】国際公開第２０１５／１５６３３２号
【発明の概要】
【発明が解決しようとする課題】
【００１２】
ここで、本発明の解決しようとする課題を明確にするため、以下の寸法を仮定する。上記従来のルーズリーフ５００の標準リング穴５１及び移動リング穴５２の直径を、リングＲが標準リング穴５１で保持されやすくするようにリングＲの直径よりも、４ｍｍ大きくする。具体的には、リングＲの直径が５ｍｍとなるのに対し、標準リング穴５１の直径を９ｍｍとする。この寸法設定の場合、リングＲが標準リング穴５１に引っ掛かりやすくなるので、意図せずルーズリーフ５００が移動することを防止できるという利点がある。
【００１３】
図１０乃至図１３は、ルーズリーフ５００が傾いた状態を示す説明図である。上記のように、標準リング穴５１の径が大きくなると、リングＲとの隙間が大きくなることから、ルーズリーフ５００が上下動の他、横方向にも若干動いてしまう。このため、ルーズリーフ５００を立てて使用する場合、図１０の実線で示すように、自重によりルーズリーフ５００が傾いてしまう。即ち、リングＲと標準リング穴５１とが略同径であれば、ルーズリーフ５００を立てても殆ど傾くことがないが、標準リング穴５１をリングＲの径より大きくすると、その隙間に起因して上側の標準リング穴５１の右側端部５１ａがリングＲに当接するまで（図１１(ａ)を参照）、下側の標準リング穴５１の左側端部５１ｂがリングＲに当接するまで、自重により傾く結果となる。なお、図１０中、ルーズリーフ５００の好ましい位置（傾いていない状態）を一点鎖線で示す。
【００１４】
同様に、図１２に示すように、ルーズリーフ５００を上にあげてリングＲが移動リング穴５２に移動した場合でも、上側の移動リング穴５２の右側端部５２ａがリングＲに当接するまで、下側の移動リング穴５２の左側端部５２ｂがリングＲに当接するまで、自重により傾く結果となる。なお、図１２中、ルーズリーフ５００の好ましい位置（傾いていない状態）を一点鎖線で示す。
【００１５】
ルーズリーフ５００が傾くことで、複数のルーズリーフ５００をリングファイルに綴じた場合、見栄えが悪いという問題点がある。本発明は、係る問題点を解決するためになされたものである。
【課題を解決するための手段】
【００１６】
この発明のリングファイル用シート体は、リングファイルに綴じるルーズリーフ、クリアポケットその他のリングファイル用シート体であって、リングファイルのリングを通す上部可動穴と、上部可動穴よりもシート体の綴じ側の長辺端縁側にずれて設けられ前記リングファイルのリングを通す下部可動穴と、を有し、前記上部可動穴及び下部可動穴は、前記シート体の端辺近傍の標準規定位置に設けられたリングファイルのリングを通す標準リング穴と、当該標準リング穴に対して前記端辺に略平行方向に設けられ且つ前記リングが通る移動リング穴と、前記標準リング穴と移動リング穴とを連結する切断部とからなることを特徴とする。
【００１７】
また、この発明のリングファイル用シート体は、リングファイルに綴じるルーズリーフ、クリアポケットその他のリングファイル用シート体であって、前記シート体の端辺近傍の標準規定位置に設けられたリングファイルのリングを通す標準リング穴と、当該標準リング穴に対して前記端辺に略平行方向に設けられ且つ前記リングが通る移動リング穴と、前記標準リング穴と移動リング穴とを連結する切断部とからなる、リングファイルのリングを通す上部可動穴と、前記シート体の端辺近傍の標準規定位置に設けられたリングファイルのリングを通す標準リング穴と、当該標準リング穴よりも前記シート体の綴じ側の長辺端縁側にずれて設けられ且つ前記リングが通る移動リング穴と、前記標準リング穴と移動リング穴とを連結する切断部とからなる、前記リングファイルのリングを通す下部可動穴とを備えたことを特徴とする。
【００１８】
また、上記発明において、前記上部可動穴及び下部可動穴は、前記標準リング穴及び移動リング穴にそれぞれ開口すると共に前記切断部に収斂する導入部を有すると共に、当該導入部の傾斜線の切断部から標準リング穴に接続する点が、標準リング穴の円の中心点から垂直下方の円との交点よりも、シート体の綴じ側端縁側又はその反対側に位置するようにしても良い。
【図面の簡単な説明】
【００１９】
【図１】この発明の実施の形態１に係るリングファイルのシート体を示す平面図である。
【図２】図１の一部拡大図である。
【図３】図１の一部拡大図である。
【図４】ルーズリーフの使用状態を示す説明図である。
【図５】ルーズリーフの使用状態を示す説明図である。
【図６】この発明の実施の形態２に係るリングファイルのシート体を示す一部拡大図である。
【図７】ルーズリーフの使用状態を示す説明図である。
【図８】従来のリングファイルのシート体の一部を示す平面図である。
【図９】図８のシート体をリングファイルに綴じた状態の一部分を示す説明図である。
【図１０】仮定寸法におけるルーズリーフの使用状態を示す説明図である。
【図１１】図１０の一部拡大図である。
【図１２】仮定寸法におけるルーズリーフの使用状態を示す説明図である。
【図１３】図１２の一部拡大図である。
【発明を実施するための形態】
【００２０】
（実施の形態１）
図１は、この発明の実施の形態１に係るリングファイルのシート体を示す平面図である。図２は、図１の一部拡大図である。このシート体１００は、例えばルーズリーフ１００であり、以下ルーズリーフ１００として説明する。このルーズリーフ１００は、上部可動穴１０６及び下部可動穴１０７がルーズリーフ１００の長辺端縁Ｔ方向で偏心して設けられている点に特徴がある。換言すると、下部可動穴１０７が、上部可動穴１０６よりもルーズリーフ１００の綴じ側の長辺端縁Ｔ側にずれて設けられている。なお、リングＲの直径は、５ｍｍである。図２の寸法単位はｍｍである。
【００２１】
上部可動穴１０６について、ルーズリーフ１００の一端部には、リングファイルのリングＲを通す標準リング穴１が形成される。標準リング穴１は、ルーズリーフ１００の図中右端縁Ｔから１３．６ｍｍの位置に中心が設定され、当該標準リング穴１の直径は８．２５ｍｍである（図２参照）。リングＲの直径との差は３．２５ｍｍとなる。標準リング穴１に対して前記ルーズリーフ１００の端縁に略並行する方向に、更に移動リング穴２がもう一つ形成されている。移動リング穴２は、上記標準リング穴１と同様にルーズリーフ１００の図中右（綴じ側）端縁Ｔから１３．６ｍｍの位置に中心が設定され、当該移動リング穴２の直径は８．２５ｍｍである（図２参照）。
【００２２】
また、標準リング穴１と移動リング穴２は、直線的な溝状ないし矩形切欠き状の切断部３により連結している。また、前記切断部３は、標準リング穴１と移動リング穴２の接線のごとく設けられる。即ち、リング穴１，２の中心同士を接続する直線ではなく、この中心から一方向（ルーズリーフ１００の長辺端縁方向又はその反対方向）にずらして設けられる。
【００２３】
次に、切断部３とリング穴１，２との結合位置には、リング穴１，２から切断部３にリングＲが移動しやすくするための導入部４が形成されている。この導入部４は、楔形状ないし三角形であり、一辺がリング穴１，２に対して開口するように、先端が切断部３に一致するように形成される。換言すれば、導入部４はリング穴１，２の一部から切断部３まで切り込まれて形成される。一方、リング穴１，２、切断部３、導入部４により標準リング穴１と移動リング穴２との間にフラップ５が形成される。
【００２４】
また、この上部可動穴１０６は、図３（ａ）に示すように、導入部４の傾斜線４ａの切断部３から標準リング穴１に接続する点４ｂが、標準リング穴１の円の中心点から垂直下方の円との交点１ｃよりも、ルーズリーフ１００の図中右（綴じ側）端縁Ｔ側に位置される。また、導入部４の傾斜線４ａの切断部３から移動リング穴２に接続する点４ｂが、移動リング穴２の円の中心点から垂直上方の円との交点２ｃよりも、ルーズリーフ１００の図中右（綴じ側）端縁Ｔ側に位置される。これにより、リングＲの移動はフラップ５により阻害されやすくなり、リングＲが標準リング穴１から出てルーズリーフ１００が意図せず移動することを防止できると共に、導入部４としての機能もしっかりと維持できる。なお、導入部４の形状は楔形としているが、多少変形しても良い。例えば、前記傾斜線４ａが湾曲していても良い（図示省略）。
【００２５】
なお、フラップ５が同図とは反対向きに形成される場合（上部可動穴１０６が同図に示した形状と端縁Ｔ方向の仮想線に対して線対称の形状）、導入部４の傾斜線４ａの切断部３から標準リング穴１に接続する点４ｂが、標準リング穴１の円の中心点から垂直下方の円との交点１ｃよりも、ルーズリーフ１００の図中右（綴じ側）端縁Ｔ側の反対側に位置される。また、導入部４の傾斜線４ａの切断部３から移動リング穴２に接続する点４ｂが、移動リング穴２の円の中心点から垂直上方の円との交点２ｃよりも、ルーズリーフ１００の図中右（綴じ側）端縁Ｔ側の反対側に位置される。
【００２６】
次に、下部可動穴１０７について、ルーズリーフ１００の一端部には、リングファイルのリングＲを通す標準リング穴１が形成される。標準リング穴１は、ルーズリーフ１００の図中右（綴じ側）端縁Ｔから１０．４ｍｍの位置に中心が設定され、当該標準リング穴１の直径は８．２５ｍｍである（図２参照）。標準リング穴１に対して前記ルーズリーフ１００の端縁に略並行する方向に、更に移動リング穴２がもう一つ形成されている。移動リング穴２は、上記標準リング穴１と同様にルーズリーフ１００の図中右（綴じ側）端縁Ｔから１０．４ｍｍの位置に中心が設定され、当該移動リング穴２の直径は８．２５ｍｍである（図２参照）。
【００２７】
また、標準リング穴１と移動リング穴２は、上部可動穴１０６と同様、直線的な溝状ないし矩形切欠き状の切断部３により連結している。また、当該切断部３は、標準リング穴１と移動リング穴２の接線のごとく設けられる。即ち、リング穴１，２の中心同士を接続する直線ではなく、この中心から一方向（ルーズリーフ１００の長辺端縁Ｔ方向又はその反対方向）にずらして設けられる。
【００２８】
また、切断部３とリング穴１，２との結合位置には、上部可動穴１０６と同様、リング穴１，２から切断部３にリングＲが移動しやすくするための導入部４が形成されている。この導入部４は、楔形状ないし三角形であり、一辺がリング穴１，２に対して開口するように、先端が切断部３に一致するように形成される。換言すれば、導入部４はリング穴１，２の一部から切断部３まで切り込まれて形成される。一方、リング穴１，２、切断部３、導入部４により標準リング穴１と移動リング穴２との間にフラップ５が形成される。
【００２９】
また、この下部可動穴１０７は、図３（ｂ）に示すように、導入部４の傾斜線４ａの切断部３から標準リング穴１に接続する点４ｂが、標準リング穴１の円の中心点から垂直下方の円との交点１ｃよりも、ルーズリーフ１００の図中右（綴じ側）端縁Ｔ側に位置される。また、導入部４の傾斜線４ａの切断部３から移動リング穴２に接続する点４ｂが、移動リング穴２の円の中心点から垂直上方の円との交点２ｃよりも、ルーズリーフの図中右（綴じ側）端縁Ｔ側に位置される。これにより、リングＲの移動はフラップ５により阻害されやすくなり、リングＲが標準リング穴１から出てルーズリーフ１００が意図せず移動することを防止できると共に、導入部４としての機能もしっかりと維持できる。なお、導入部４の形状は楔形としているが、多少変形しても良い。例えば、前記傾斜線４ａが湾曲していても良い（図示省略）。
【００３０】
なお、フラップ５が同図とは反対向きに形成される場合（上部可動穴１０６が同図に示した形状と端縁Ｔ方向の仮想線に対して線対称の形状）、導入部４の傾斜線４ａの切断部３から標準リング穴１に接続する点４ｂが、標準リング穴１の円の中心点から垂直下方の円との交点１ｃよりも、ルーズリーフ１００の図中右（綴じ側）端縁Ｔ側の反対側に位置される。また、導入部４の傾斜線４ａの切断部３から移動リング穴２に接続する点４ｂが、移動リング穴２の円の中心点から垂直上方の円との交点２ｃよりも、ルーズリーフの図中右（綴じ側）端縁Ｔ側の反対側に位置される。
【００３１】
上部可動穴１０６及び下部可動穴１０７の標準リング穴１どうしは、当該ルーズリーフ１００を綴じるリングファイルのリングＲ間隔と同じ間隔で形成される。同間隔は、図２に示すように、８０ｍｍである。移動リング穴２どうしも、当該ルーズリーフ１００を綴じるリングファイルのリング間隔と同じ間隔で形成される。同間隔は、図２に示すように、８０ｍｍである。
【００３２】
次に、このルーズリーフ１００の使用状態を図１乃至図５を用いて説明する。ルーズリーフ１００を、その標準リング穴１をリングＲに通してリングファイルに綴じる。このようなルーズリーフ１００を同様にして複数枚、当該リングファイルに綴じる。この状態でリングＲは、標準リング穴１に固定される。ユーザは、通常の使用方法として、ルーズリーフ１００をめくって閲覧、記入できる。全てのルーズリーフ１００が、上端が揃った状態にある。このとき、標準リング穴１を通るリングＲは、フラップ５によりルーズリーフ１００との相対移動が阻止されており、ユーザが力を加えない状態で移動することはない。
【００３３】
ルーズリーフ１００が正しい位置、即ちリングＲの中心を接続する仮想線Ｌと、ルーズリーフ１００の端縁が平行になっている状態で上部可動穴１０６に着目すると、図５（ａ）に示すように、リングＲが標準リング穴１の図中右（綴じ側）端１ａに当接し、下部可動穴１０７に着目すると、リングＲが標準リング穴１の図中左端１ｂに当接する。リングファイルを立てると、ルーズリーフ１００が自重で傾きながら落ちようとするところ、本発明では、ルーズリーフ１００をリングファイルに綴じた状態でリングＲが上部可動穴１０６の標準リング穴１の図中右（綴じ側）端１ａに当接し且つリングＲが下部可動穴１０７の標準リング穴１の図中左端１ｂに当接する結果、ルーズリーフ１００が傾くことがない。
【００３４】
次に、ユーザが、リングファイルに綴じている任意のルーズリーフ１００をリングファイルの上方に引っ張ると、標準リング穴１から移動リング穴２にリングＲが移動して、当該ルーズリーフ１００が標準リング穴１と移動リング穴２との距離分だけ移動する。これにより、当該ルーズリーフ１００は、他のルーズリーフ１００に比べて上方に飛び出た状態となる（図４中で移動させたルーズリーフ１００を実線で、移動していないルーズリーフ１００を一点鎖線で示す。）。リングＲは、移動する際に標準リング穴１の導入部４にガイドされつつ相対移動する。フラップ５は、ユーザの引っ張る力によりリングＲにより開き、リングＲが切断部３に侵入し、通過する。そして、リングＲが移動リング穴２に入る。この状態でユーザは引っ張るのを止める。リングＲは、フラップ５により移動リング穴２で固定される。
【００３５】
この状態で、上部可動穴１０６に着目すると、リングＲが移動リング穴２の図中右（綴じ側）端２ａに当接し、下部可動穴１０７に着目すると、リングＲが移動リング穴２の図中左端２ｂに当接する。よって、上記同様、リングファイルを立てた状態で、リングＲが移動リング穴２の図中右（綴じ側）端２ａに当接し、且つ、リングＲが移動リング穴２の図中左端２ｂに当接するため、ルーズリーフ１００が傾くことがない。
【００３６】
この結果、前記ルーズリーフ１００を上方に飛び出させた状態では、ルーズリーフ１００の横端縁は、他のルーズリーフ１００と同じ位置にあるから、閲覧、記入の際に使用し難くなることはない。そして、ルーズリーフ１００が上方に飛び出ることで、例えばどこまで閲覧又は記入をしたか簡単に位置を特定できる。即ち、ルーズリーフ１００自体が上方に移動して栞として機能することになる。
【００３７】
以上、本発明のルーズリーフ１００によれば、リングファイルに綴じた状態でルーズリーフ１００が傾くことがないので、全体の見た目が整然として綺麗になる。また、ルーズリーフ１００が上下方向に移動可能となるので栞やインデックスの代わりになり、閲覧、記入等をしたところを簡単に識別できるようになる。また、栞等の余計な部材は不要である。
【００３８】
（実施の形態２）
図６は、この発明の実施の形態２に係るリングファイルのシート体を示す一部拡大図である。また、下部可動穴２０７の移動リング穴２２の位置のみを、上部可動穴１０６よりもルーズリーフ２００の綴じ側の長辺端縁Ｔ側にずれて設けても良い。下部可動穴２０７の標準リング穴１の位置は、上部可動穴１０６の標準リング穴１と綴じ側の長辺端縁Ｔから同じ位置にある。その他の構成は、実施の形態１と同じであるから、同一構成要素には同一の符号を付してその説明を適宜省略する。
【００３９】
下部可動穴２０７において、標準リング穴１は、ルーズリーフ２００の図中右端縁Ｔから１３．６ｍｍの位置に中心が設定され、当該標準リング穴１の直径は８．２５ｍｍである。リングＲの直径との差は３．２５ｍｍとなる。標準リング穴１に対して前記ルーズリーフ２００の端縁に対して斜め方向に、更に移動リング穴２２がもう一つ形成されている。移動リング穴２２は、ルーズリーフ２００の図中右（綴じ側）端縁Ｔから１０．４ｍｍの位置に中心が設定され、当該移動リング穴２２の直径は８．２５ｍｍである。
【００４０】
図７は、ルーズリーフの使用状態を示す説明図である。このルーズリーフ２００では、図７（ａ）に示すように、リングＲが標準リング穴１を通っている状態では、上部可動穴１０６および下部可動穴２０７の標準リング穴１が同じ位置にあることから、従来のルーズリーフと同様の状況となり、ルーズリーフを立てて使用する場合には、図１０及び図１１に示したように、ルーズリーフ２００が自重により傾く場合がある。本実施の形態２では、この状態を許容するものとする。
【００４１】
次に、ユーザが、リングファイルに綴じている任意のルーズリーフ２００をリングファイルの上方に引っ張ると、標準リング穴１から移動リング穴２，２２にリングＲが移動して、図７（ｂ）に示すように、当該ルーズリーフ２００が標準リング穴１と移動リング穴２，２２との距離分だけ移動する。これにより、当該ルーズリーフ２００は、他のルーズリーフ２００に比べて上方に飛び出た状態となる。リングＲは、移動する際に標準リング穴１の導入部４にガイドされつつ相対移動する。フラップ５は、ユーザの引っ張る力によりリングＲにより開き、リングＲが切断部３に侵入し、通過する。そして、リングＲが移動リング穴２，２２に入る。この状態でユーザは引っ張るのを止める。リングＲは、フラップ５により移動リング穴２，２２で固定される。
【００４２】
この状態で、上部可動穴１０６に着目すると、リングＲが移動リング穴２の図中右（綴じ側）端２ａに当接し、下部可動穴２０７に着目すると、移動リング穴２２がルーズリーフ２００の綴じ側の長辺端縁Ｔ側にずれて設けられているので、リングＲが移動リング穴２２の図中左端２２ｂに当接する。よって、実施の形態１の場合と同様に、リングファイルを立てた状態で、リングＲが移動リング穴２の図中右（綴じ側）端２ａに当接し、且つ、リングＲが移動リング穴２２の図中左端２２ｂに当接するため、ルーズリーフ２００が傾くことがない。
【００４３】
この結果、前記ルーズリーフ２００を上方に飛び出させた状態では、ルーズリーフ２００の横端縁は、他のルーズリーフ２００と同じ位置にあるから、閲覧、記入の際に使用し難くなることはない。そして、ルーズリーフ２００が上方に飛び出ることで、例えばどこまで閲覧又は記入をしたか簡単に位置を特定できる。即ち、ルーズリーフ２００自体が上方に移動して栞として機能することになる。
【００４４】
なお、上記実施の形態１及び２において具体的に明示した寸法は、本発明の作用・効果を奏する範囲で適宜変更できるものである。好ましくは、リングＲの直径が４ｍｍ以上６ｍｍ以内の場合、標準リング穴１及び移動リング穴２の直径７ｍｍ以上１２ｍｍ以内、上部可動穴１０６のルーズリーフ１００の図中右（綴じ側）端縁Ｔから標準リング穴１及び移動リング穴２の中心までの距離１０ｍｍ以上１５ｍｍ以下、下部可動穴１０７のルーズリーフ１００の図中右（綴じ側）端縁Ｔから標準リング穴１及び移動リング穴２の中心までの距離８ｍｍ以上１２ｍｍ以下として、本発明が成立する範囲で設定できる。
【符号の説明】
【００４５】
１００  ルーズリーフ（シート体）
１  標準リング穴
２  移動リング穴
３  切断部
４  導入部
５  フラップ
１０６，１０７  可動穴
Ｒ  リング（パイプ）
【図１】
0006272415.tif 000002
【図２】
0006272415.tif 000003
【図３】
0006272415.tif 000004
【図４】
0006272415.tif 000005
【図５】
0006272415.tif 000006
【図６】
0006272415.tif 000007
【図７】
0006272415.tif 000008
【図８】
0006272415.tif 000009
【図９】
0006272415.tif 000010
【図１０】
0006272415.tif 000011
【図１１】
0006272415.tif 000012
【図１２】
0006272415.tif 000013
【図１３】
0006272415.tif 000014